(57)【要約】【課題】無線通信システムにおけるＤ２Ｄ接続を設定する方法及び装置を提供する。【解決手段】第１の移動装置は、ネットワークノードの識別子を第２の移動装置に送信することができる。このとき、第１の移動装置及びネットワークノードは、第１の接続によって接続され、第１の移動装置及び第２の移動装置は、第２の接続によって接続される。又は、基地局は、基地局に接続された移動装置間のＤ２Ｄ接続に関する情報を隣接ネットワークノードに送信することができる。Ｄ２Ｄ接続に関する情報は、移動装置に関する情報及びＤ２Ｄモードのうち少なくとも一つを含む。【選択図】図１０
2018038072.tif 000002
【特許請求の範囲】
【請求項１】
無線通信システムにおける第１の端末（ＵＥ）による端末間（ＵＥ−ｔｏ−ＵＥ）送信を行う方法であって、
進化はん用地上無線接続網（Ｅ−ＵＴＲＡＮ）計画モード又はＵＥ自律モードのうち、前記第１の端末がＵＥ−ｔｏ−ＵＥ送信のためにいずれのモードで動作すべきかに関する情報を進化ノードＢ（ｅＮＢ)から受信するステップと、
前記受信された情報に基づいてＵＥ−ｔｏ−ＵＥ送信のためいずれのモードを利用するかを決定するステップと、
前記ＵＥ−ｔｏ−ＵＥ送信のための前記決定したモードを利用して、第２の端末と前記ＵＥ−ｔｏ−ＵＥ送信を実行するステップと、を有し、
前記Ｅ−ＵＴＲＡＮ計画モードは、前記ｅＮＢが前記ＵＥ−ｔｏ−ＵＥ送信のための無線リソースを制御するモードであり、
前記ＵＥ自律モードは、前記第１の端末が前記ＵＥ−ｔｏ−ＵＥ送信のための無線リソースを制御するモードである、方法。
【請求項２】
前記ｅＮＢと前記ｅＮＢに接続された移動性管理エンティティ（ＭＭＥ）は、前記Ｅ−ＵＴＲＡＮ計画モードでの前記第２の端末のコンテキストを有する、請求項１に記載の方法。
【請求項３】
前記ｅＮＢは前記ＵＥ自律モードでの前記第２の端末のコンテキストを有しない、請求項１に記載の方法。
【請求項４】
前記情報は専用制御チャネル（ＤＣＣＨ）上の無線リソース制御（ＲＲＣ）メッセージを介して受信される、請求項１に記載の方法。
【請求項５】
前記ＲＲＣメッセージは前記ＵＥ−ｔｏ−ＵＥ送信のための共通設定及び不連続受信（ＤＲＸ)設定を含む、請求項４に記載の方法。
【請求項６】
無線通信システムにおける端末間（ＵＥ−ｔｏ−ＵＥ）送信を実行するように構成される第１の端末であって、
無線信号を送信又は受信するように構成される無線周波（ＲＦ）部と、
前記ＲＦ部と接続されるプロセッサと、を備え、
前記プロセッサは、
進化はん用地上無線接続網（Ｅ−ＵＴＲＡＮ）計画モード又はＵＥ自律モードのうち、前記第１の端末がＵＥ−ｔｏ−ＵＥ送信のためにいずれのモードで動作すべきかに関する情報を進化ノードＢ（ｅＮＢ）から受信し、
前記受信された情報に基づいてＵＥ−ｔｏ−ＵＥ送信のためにいずれのモードを利用するかを決定し、
前記ＵＥ−ｔｏ−ＵＥ送信のための前記決定したモードを利用して第２の端末と前記ＵＥ−ｔｏ−ＵＥ送信を実行するように構成され、
前記Ｅ−ＵＴＲＡＮ計画モードは、前記ｅＮＢが前記ＵＥ−ｔｏ−ＵＥ送信のための無線リソースを制御するモードであり、
前記ＵＥ自律モードは、前記第１の端末が前記ＵＥ−ｔｏ−ＵＥ送信のための無線リソースを制御するモードである、第１の端末。
【請求項７】
前記ｅＮＢと前記ｅＮＢに接続された移動性管理エンティティ（ＭＭＥ）は、前記Ｅ−ＵＴＲＡＮ計画モードでの前記第２の端末のコンテキストを有する、
請求項６に記載の第１の端末。
【請求項８】
前記ｅＮＢは前記ＵＥ自律モードでの前記第２の端末のコンテキストを有しない、請求項６に記載の第１の端末。
【請求項９】
前記情報は専用制御チャネル（ＤＣＣＨ）上の無線リソース制御（ＲＲＣ）メッセージを介して受信される、請求項６に記載の第１の端末。
【請求項１０】
前記ＲＲＣメッセージは前記ＵＥ−ｔｏ−ＵＥ送信のための共通設定及び不連続送信（ＤＲＸ）設定を含む、請求項９に記載の第１の端末。
【発明の詳細な説明】
【技術分野】
【０００１】
本発明は、無線通信に関し、より詳しくは、無線通信システムにおける機器間（ｄｅｖｉｃｅ−ｔｏ−ｄｅｖｉｃｅ、Ｄ２Ｄ）関連情報を送信する方法及び装置に関する。
【背景技術】
【０００２】
はん用移動体通信システム（ＵＭＴＳ）は、ヨーロッパシステム、ＧＳＭ（登録商標）及び一般パケット無線サービス（ＧＰＲＳ）に基づいてＷＣＭＤＡ（登録商標）で動作する第３世代非同期移動体通信システムである。ＵＭＴＳの長期進化システム（ＬＴＥ）がＵＭＴＳを標準化する第３世代パートナシッププロジェクト（３ＧＰＰ）において論議中である。
【０００３】
ユビキタス環境の到来と共に、装置を使用して、いつでもどこでもシームレスなサービスを受けようとする需要が急速に増加している。このような要求を満たすために、無線通信システムにおいて、Ｄ２Ｄ接続技術を導入してもよい。Ｄ２Ｄ接続技術は、端末（ｕｓｅｒ ｅｑｕｉｐｍｅｎｔ、ＵＥ）などの装置が互いに接続されており、基地局（ｂａｓｅ ｓｔａｔｉｏｎ、ＢＳ）を経由することなくデータを送信／受信する技術を意味する。すなわち、一装置は、基地局を介して他の装置と通信することもできるし、また、基地局を経由することなく他の装置と直接通信することもできる。Ｄ２Ｄ接続技術を使用することによって、低電力消費、処理量向上（ｔｈｒｏｕｇｈｐｕｔ ｅｎｈａｎｃｅｍｅｎｔ）などの効果を得ることができる。
【０００４】
Ｄ２Ｄ接続のために、ネットワークと端末とがどのように動作すべきであるかを特定しなければならない。
【発明の概要】
【発明が解決しようとする課題】
【０００５】
本発明の技術的課題は、無線通信システムにおける装置間（ｄｅｖｉｃｅ−ｔｏ−ｄｅｖｉｃｅ、Ｄ２Ｄ）関連情報を送信する方法及び装置を提供することにある。本発明は、Ｄ２Ｄ通信のために移動装置のネットワーク接続を知らせる方法を提供する。本発明は、Ｄ２Ｄ接続に関する情報をネットワークノード間に共有する方法を提供する。
【課題を解決するための手段】
【０００６】
一態様において、無線通信システムにおける第１の移動装置によるＤ２Ｄ関連情報を送信する方法が提供される。方法は、ネットワークノードの識別子を第２の移動装置に送信するステップを含み、第１の移動装置及びネットワークノードは、第１の接続によって接続され、第１の移動装置及び第２の移動装置は、第２の接続によって接続される。
【０００７】
ネットワークノードの識別子は、ネットワークノードによって制御されるセルのセル識別子である。
【０００８】
第１の接続は無線リソース制御（ＲＲＣ）接続であり、第２の接続はＤ２Ｄ接続である。
【０００９】
方法は、ネットワークノードによって割り当てられた第１の移動装置の識別子を第２の移動装置に送信するステップを更に含む。
【００１０】
第１の移動装置は第２の接続の主端末（ｍａｓｔｅｒ ｕｓｅｒ ｅｑｕｉｐｍｅｎｔ、Ｍ−ＵＥ）であり、第２の移動装置は第２の接続の従属端末（ｓｌａｖｅ ｕｓｅｒ ｅｑｕｉｐｍｅｎｔ、Ｓ−ＵＥ）である。
【００１１】
ネットワークノードの識別子は、Ｄ２Ｄ接続設定メッセージを介して送信される。
【００１２】
第１の移動装置は第２の接続のＳ−ＵＥであり、第２の移動装置は第２の接続のＭ−ＵＥである。
【００１３】
ネットワークノードの識別子は、Ｄ２Ｄ接続設定完了メッセージを介して送信される。
【００１４】
他の態様において、無線通信システムにおける第１の移動装置によるＤ２Ｄ関連情報を送信する方法が提供される。方法は、第１の移動装置とネットワークノードとの間の第１の接続が設定されるか否かを第２の移動装置に知らせるステップを含み、第１の移動装置及び第２の移動装置は、第２の接続によって接続される。
【００１５】
他の態様において、無線通信システムにおける基地局によるＤ２Ｄ関連情報を送信する方法が提供される。方法は、基地局に接続された移動装置間のＤ２Ｄ接続に関する情報を隣接ネットワークノードに送信するステップを含み、Ｄ２Ｄ接続に関する情報は、移動装置に関する情報及びＤ２Ｄモードのうち少なくとも一つを含む。
【００１６】
移動装置に関する情報は、移動装置の識別子の目録を含む。
【００１７】
Ｄ２Ｄ接続に関する情報は、Ｄ２Ｄ接続に関連しているパラメータ又は構成を含む。
【発明の効果】
【００１８】
移動装置間に効率的にＤ２Ｄ接続を設定できる。
【図面の簡単な説明】
【００１９】
【図１】無線通信システムの構造を示す図である。
【図２】制御平面に関する無線インタフェースプロトコル構造を示すブロック図である。
【図３】ユーザ平面に関する無線インタフェースプロトコル構造を示すブロック図である。
【図４】物理チャネルの構造の一例を示す図である。
【図５】ＲＲＣ接続設定手続を示す図である。
【図６】初期セキュリティ活性化手続を示す図である。
【図７】ＲＲＣ接続再設定手続を示す図である。
【図８】本発明の一実施例によるＤ２Ｄ関連情報を送信する方法の一例を示す図である。
【図９】本発明の一実施例によるＤ２Ｄ関連情報を送信する方法の他の例を示す図である。
【図１０】本発明の一実施例によるＥ−ＵＴＲＡＮ計画モードにおけるＤ２Ｄ接続設定の一例を示す図である。
【図１１】本発明の実施例が具現される無線通信システムのブロック図である。
【発明を実施するための形態】
【００２０】
以下の技術は、符号分割多元接続（ＣＤＭＡ）、周波数分割多元接続（ＦＤＭＡ）、時分割多元接続（ＴＤＭＡ）、直交周波数分割多元接続（ＯＦＤＭＡ）、単一搬送波周波数分割多元接続（ＳＣ−ＦＤＭＡ）などのような多様な無線通信システムに用いることができる。ＣＤＭＡは、はん用地上無線接続（ＵＴＲＡ）又はＣＤＭＡ２０００のような無線技術で具現できる。ＴＤＭＡは、ＧＳＭ（登録商標）／一般パケット無線サービス（ＧＰＲＳ）／ＧＳＭ（登録商標）進化用強化データ速度（ＥＤＧＥ）のような無線技術で具現できる。ＯＦＤＭＡは、ＩＥＥＥ８０２.１１（Ｗｉ−Ｆｉ）、ＩＥＥＥ８０２.１６（ＷｉＭＡＸ）、ＩＥＥＥ８０２−２０、進化ＵＴＲＡ（Ｅ−ＵＴＲＡ）などのような無線技術で具現できる。ＩＥＥＥ８０２.１６ｍは、ＩＥＥＥ８０２.１６ｅの進化形であり、ＩＥＥＥ８０２.１６ｅに基づくシステムとの後方互換性を提供する。ＵＴＲＡは、ＵＭＴＳの一部である。第３世代パートナシッププロジェクト（３ＧＰＰ）長期進化システム（ＬＴＥ）は、Ｅ−ＵＴＲＡを使用する進化ＵＭＴＳ（Ｅ−ＵＭＴＳ）の一部であり、ダウンリンクでＯＦＤＭＡを採用し、アップリンクでＳＣ−ＦＤＭＡを採用する。高度ＬＴＥ（ＬＴＥ−Ａ）は、３ＧＰＰ ＬＴＥの進化形である。
【００２１】
説明を明確にするために、ＬＴＥ−Ａを中心に記述するが、本発明の技術的思想がこれに制限されるものではない。
【００２２】
図１は、無線通信システムの構造を示す。
【００２３】
図１の構造は、進化はん用地上無線接続網（Ｅ−ＵＴＲＡＮ）のネットワーク構造の一例である。Ｅ−ＵＴＲＡＮシステムは、３ＧＰＰ ＬＴＥ／ＬＴＥ−Ａシステムである。Ｅ−ＵＴＲＡＮは、端末（ＵＥ）１０に制御平面（ｃｏｎｔｒｏｌ ｐｌａｎｅ）及びユーザ平面（ｕｓｅｒ ｐｌａｎｅ）を提供する基地局２０と、ＵＥ１０とを含む。ＵＥ１０は、固定されていてもよいし、移動性を有してもよく、移動機（ｍｏｂｉｌｅ ｓｔａｔｉｏｎ、ＭＳ）、ユーザ端末（ＵＴ）、加入者局（ＳＳ）、移動端末（ＭＴ）、無線機器等、他の用語で呼ばれることもある。ＢＳ２０は、一般的にＵＥ１０と通信する固定局（ｆｉｘｅｄ ｓｔａｔｉｏｎ）を意味し、進化ノードＢ（ｅＮＢ）、無線基地局装置（ＢＴＳ）、アクセスポイント等、他の用語で呼ばれることもある。ＢＳ２０のサービス範囲内に一つ以上のセルが存在する。一つのセルは、１.２５、２.５、５、１０及び２０ＭＨｚなどの帯域幅のうち一つを有するように設定され、複数のＵＥにダウンリンク又はアップリンク送信サービスを提供できる。このとき、別個のセルは、別個の帯域幅を提供するように設定できる。
【００２４】
ＢＳ２０間にはユーザ情報（トラヒック）又は制御情報の送信のためのインタフェースを使うことができる。ＢＳ２０は、Ｘ２インタフェースを介して互いに接続される。ＢＳ２０は、Ｓ１インタフェースを介して進化パケットコア網（ＥＰＣ）と接続される。ＥＰＣは、移動性管理エンティティ（ＭＭＥ）、サービス提供ゲートウェイ（Ｓ−ＧＷ）、及びパケットデータ網ゲートウェイ（ＰＤＮ−ＧＷ）で構成できる。ＭＭＥは、ＵＥの接続情報又はＵＥの能力に関する情報を有し、このような情報は、主にＵＥの移動性管理に使われる。Ｓ−ＧＷは、Ｅ−ＵＴＲＡＮを終端点として有するゲートウェイであり、ＰＤＮ−ＧＷは、ＰＤＮを終端点として有するゲートウェイである。ＢＳ２０は、Ｓ１−ＭＭＥインタフェースを介してＭＭＥ３０と接続することができ、Ｓ１−Ｕインタフェースを介してＳ−ＧＷと接続できる。Ｓ１インタフェースは、ＢＳ２０とＭＭＥ／Ｓ−ＧＷ３０との間の多対多関係（ｍａｎｙ−ｔｏ−ｍａｎｙ−ｒｅｌａｔｉｏｎ）をサポートする。
【００２５】
以下、ダウンリンク（ＤＬ）は、ＢＳ２０からＵＥ１０への通信を意味し、アップリンク（ＵＬ）は、ＵＥ１０からＢＳ２０への通信を意味する。ダウンリンクにおいて、送信器はＢＳ２０の一部であり、受信器はＵＥ１０の一部である。アップリンクにおいて、送信器はＵＥ１０の一部であり、受信器はＢＳ２０の一部である。
【００２６】
図２は、制御平面に関する無線インタフェースプロトコル構造を示すブロック図である。図３は、ユーザ平面に関する無線インタフェースプロトコル構造を示すブロック図である。
【００２７】
ＵＥとＥ−ＵＴＲＡＮとの間の無線インタフェースプロトコルの階層は、通信システムにおいて広く知られた開放型システム相互接続（ＯＳＩ）モデルの下位３階層に基づいて第１層（Ｌ１）、第２層（Ｌ２）及び第３層（Ｌ３）に区分できる。ＵＥとＥ−ＴＵＲＡＮとの間の無線インタフェースプロトコルは、水平的には、物理層、データリンク層及びネットワーク層に区分することができ、垂直的には、制御信号送信のためのプロトコルスタックである制御平面と、データ情報送信のためのプロトコルスタックであるユーザ平面とに区分できる。無線インタフェースプロトコルの階層は、ＵＥ及びＥ−ＵＴＲＡＮにおいて対で存在する。
【００２８】
Ｌ１に属する物理層（ＰＨＹ）は、物理チャネルを介して上位階層に情報転送サービスを提供する。ＰＨＹ階層は、上位階層である媒体接続制御（ＭＡＣ）層及びトランスポートチャネルを介して接続される。トランスポートチャネルを介してＭＡＣ層とＰＨＹ層との間にデータが移動する。トランスポートチャネルは、無線インタフェースを介してデータがどのように、どのような特性で送信されるかによって分類される。別個のＰＨＹ層間、すなわち、送信器のＰＨＹ層と受信器のＰＨＹ層との間のデータは、物理チャネルを介して移動する。物理層は、直交周波数分割多重化（ＯＦＤＭ）方式で変調され、時間及び周波数を無線リソースとして活用する。
【００２９】
ＰＨＹ層は、物理制御チャネルを使用する。物理ダウンリンク制御チャネル（ＰＤＣＣＨ）は、呼出しチャネル（ＰＣＨ）、ダウンリンク共有チャネル（ＤＬ−ＳＣＨ）のリソース割当及びＤＬ−ＳＣＨに関係しているハイブリッド自動再送要求（ＨＡＲＱ）情報をＵＥに通知する。ＰＤＣＣＨは、ＵＬ送信のリソース割当をＵＥに通知するためにＵＬ許可を送信できる。物理制御フォーマット指示子チャネル（ＰＣＦＩＣＨ）は、ＰＤＣＣＨのために使われるＯＦＤＭシンボルの個数をＵＥに通知し、サブフレームごとに送信される。物理ＨＡＲＱ指示子チャネル（ＰＨＩＣＨ）は、ＵＬ送信に対する応答としてＨＡＲＱ肯定応答／否定応答（ＡＣＫ／ＮＡＣＫ）信号を伝送する。物理アップリンク制御チャネル（ＰＵＣＣＨ）は、ＤＬ送信に対するＨＡＲＱ ＡＣＫ／ＮＡＣＫ、スケジュール要求、チャネル品質指示子（ＣＱＩ）などのＵＬ制御情報を伝送する。物理アップリンク共有チャネル（ＰＵＳＣＨ）は、アップリンク共有チャネル（ＵＬ−ＳＣＨ）を伝送する。
【００３０】
図４は、物理チャネルの構造の一例を示す。
【００３１】
物理チャネルは、時間領域における複数のサブフレームと、周波数領域における複数の副搬送波とで構成される。一つのサブフレームは、時間領域における複数のシンボルで構成される。一つのサブフレームは、複数のリソースブロック（ＲＢ）で構成される。一つのリソースブロックは、複数のシンボルと複数の副搬送波とで構成される。また、各サブフレームは、ＰＤＣＣＨのために該当サブフレームの特定シンボルの特定副搬送波を利用できる。例えば、サブフレームの１番目のシンボルをＰＤＣＣＨのために使うことができる。データが送信される単位時間である送信時間間隔（ＴＴＩ）は、１個のサブフレームの長さと同じである。
【００３２】
ネットワークからＵＥにデータを送信するＤＬトランスポートチャネルは、システム情報を送信する同報チャネル（ＢＣＨ）、呼出しメッセージを送信するＰＣＨ、ユーザ情報又は制御信号を送信するＤＬ−ＳＣＨなどを含む。システム情報は、一つ以上のシステム情報ブロックを伝送する。すべてのシステム情報ブロックは、同じ周期で送信できる。マルチメディアブロードキャストマルチキャストサービス（ＭＢＭＳ）の情報又は制御信号は、マルチキャストチャネル（ＭＣＨ）を介して送信される。一方、ＵＥからネットワークにデータを送信するＵＬトランスポートチャネルは、初期制御メッセージを送信するランダム接続チャネル（ＲＡＣＨ）、ユーザ情報又は制御信号を送信するＵＬ−ＳＣＨなどを含む。
【００３３】
Ｌ２に属するＭＡＣ層は、論理チャネルを介して上位階層である無線リンク制御（ＲＬＣ）層にサービスを提供する。ＭＡＣ層の機能は、論理チャネルとトランスポートチャネルとの間の対応付けと、物理チャネル上のトランスポートチャネルと、論理チャネルに属するＭＡＣサービスデータユニット（ＳＤＵ）のトランスポートブロックとの多重化／逆多重化とを含む。論理チャネルは、トランスポートチャネルの上位にあり、トランスポートチャネルに対応付けられる。論理チャネルは、制御平面の情報転送のための制御チャネルと、ユーザ平面の情報転送のための情報チャネルとに分けられる。論理チャネルは、同報制御チャネル（ＢＣＣＨ）、呼出し制御チャネル（ＰＣＣＨ）、共通制御チャネル（ＣＣＣＨ）、マルチキャスト制御チャネル（ＭＣＣＨ）、マルチキャスト情報チャネル（ＭＴＣＨ）などを含む。
【００３４】
Ｌ２に属するＲＬＣ層は、高信頼データ伝送をサポートする。ＲＬＣ層の機能は、ＲＬＣ ＳＤＵの接続、分割（ｓｅｇｍｅｎｔａｔｉｏｎ）及び再結合（ｒｅａｓｓｅｍｂｌｙ）を含む。無線ベアラ（ＲＢ）が要求する多様なＱｏＳを保証するために、ＲＬＣ層は、透過モード（ｔｒａｎｓｐａｒｅｎｔ ｍｏｄｅ、ＴＭ）、非確認モード（ｕｎａｃｋｎｏｗｌｅｄｇｅｄ ｍｏｄｅ、ＵＭ）及び確認モード（ａｃｋｎｏｗｌｅｄｇｅｄ ｍｏｄｅ、ＡＭ）の三つの動作モードを提供する。ＡＭ ＲＬＣは、ＡＲＱを使用してエラー訂正を提供する。一方、ＲＬＣ層の機能は、ＭＡＣ層内部の機能ブロックで具現することができ、このとき、ＲＬＣ層は存在しない。
【００３５】
パケットデータ融合プロトコル（ＰＤＣＰ）層は、Ｌ２に属する。ユーザ平面におけるＰＤＣＰ層の機能は、ユーザデータの転送、ヘッダ圧縮及び暗号化を含む。ヘッダ圧縮は、帯域幅が小さい無線区間で効率的な送信をサポートするために、相対的にサイズが大きく、かつ不要な制御情報を含んでいるＩＰパケットヘッダサイズを減らす機能を有する。制御平面におけるＰＤＣＰ層の機能は、制御平面データの転送及び暗号化／完全性保護を含む。
【００３６】
Ｌ３に属する無線リソース制御（ＲＲＣ）層は、制御平面においてだけ定義される。ＲＲＣ層は、ＵＥとネットワークとの間の無線リソースを制御する役割を遂行する。そのために、ＵＥ及びネットワークは、ＲＲＣ層を介してＲＲＣメッセージを交換する。ＲＲＣ層は、ＲＢの設定（ｃｏｎｆｉｇｕｒａｔｉｏｎ）、再設定（ｒｅ−ｃｏｎｆｉｇｕｒａｔｉｏｎ）及び解放（ｒｅｌｅａｓｅ）と関係して論理チャネル、トランスポートチャネル及び物理チャネルの制御を担当する。ＲＢは、ＵＥとネットワークとの間のデータ転送のために、Ｌ２によって提供される論理的経路である。ＲＢが設定されるとは、特定サービスを提供するために、無線プロトコル階層及びチャネルの特性を規定し、各々の具体的なパラメータ及び動作方法を決定することを意味する。ＲＢは、信号通知ＲＢ（ｓｉｇｎａｌｉｎｇ ＲＢ、ＳＲＢ）及びデータＲＢ（ｄａｔａ ＲＢ、ＤＲＢ）の二つに区分できる。ＳＲＢは、制御平面でＲＲＣメッセージを送信する通路として使われ、ＤＲＢは、ユーザ平面でユーザデータを送信する通路として使われる。
【００３７】
ＲＲＣ状態は、ＵＥのＲＲＣがネットワークのＲＲＣと論理的に接続されているか否かを指示する。ＵＥのＲＲＣ層とネットワークのＲＲＣ層との間のＲＲＣ接続が設定されている場合、ＵＥは、ＲＲＣ接続状態（ＲＲＣ_ＣＯＮＮＥＣＴＥＤ）になり、ＲＲＣ接続が設定されない場合、ＵＥは、ＲＲＣ待機状態（ＲＲＣ_ＩＤＬＥ）になる。ＲＲＣ_ＣＯＮＮＥＣＴＥＤのＵＥは、ネットワークとＲＲＣ接続が設定されているため、ネットワークは、ＲＲＣ_ＣＯＮＮＥＣＴＥＤのＵＥの存在を把握することができ、ＵＥを効果的に制御できる。一方、ネットワークは、ＲＲＣ_ＩＤＬＥのＵＥを把握することができず、コア網（ＣＮ）がセルより大きい領域である位置登録エリア（ｔｒａｃｋｉｎｇ ａｒｅａ）単位でＵＥを管理する。すなわち、ＲＲＣ_ＩＤＬＥのＵＥは、大きい領域の単位で存在だけが把握され、音声又はデータ通信のような通常の移動体通信サービスを受けるために、ＵＥは、ＲＲＣ_ＣＯＮＮＥＣＴＥＤに移行しなければならない。
【００３８】
ユーザがＵＥの電源を最初に入れたとき、ＵＥは、まず、適切なセルを探索した後、該当セルでＲＲＣ_ＩＤＬＥにとどまる。ＲＲＣ接続を設定する必要があるとき、ＲＲＣ_ＩＤＬＥにとどまったＵＥは、ＲＲＣ接続手続を介してネットワークのＲＲＣとＲＲＣ接続を設定してＲＲＣ_ＣＯＮＮＥＣＴＥＤに移行できる。ＲＲＣ_ＩＤＬＥにとどまったＵＥは、ユーザの通話試行などの理由でアップリンクデータ送信が必要なとき、又はネットワークから呼出しメッセージを受信し、これに対する応答メッセージ送信が必要なときなどにネットワークとＲＲＣ接続を設定する必要がある。
【００３９】
非接続層（ｎｏｎ−ａｃｃｅｓｓ ｓｔｒａｔｕｍ、ＮＡＳ）は、ＲＲＣ層の上位階層に属し、セション管理及び移動性管理などの機能を遂行する。ＮＡＳにおいてＵＥの移動性を管理するために、ＥＰＳ移動性管理（ＥＭＭ）登録状態（ＥＭＭ−ＲＥＧＩＳＴＥＲＥＤ）及びＥＭＭ登録解除状態（ＥＭＭ−ＤＥＲＥＧＩＳＴＥＲＥＤ）の二つの状態を定義できる。二つの状態は、ＵＥ及びＭＭＥに適用できる。初期ＵＥは、ＥＭＭ−ＤＥＲＥＧＩＳＴＥＲＥＤになる。ＵＥは、ネットワークに接続するために、初期接続（ｉｎｉｔｉａｌ ａｔｔａｃｈ）手続を介して該当ネットワークに登録する手続を実行できる。初期接続手続が成功裏に実行されたとき、ＵＥ及びＭＭＥは、ＥＭＭ−ＲＥＧＩＳＴＥＲＥＤになる。
【００４０】
また、ＵＥとＥＰＣとの間の信号通知接続を管理するために、ＥＣＭ待機状態（ＥＣＭ−ＩＤＬＥ）及びＥＣＭ接続状態（ＥＣＭ−ＣＯＮＮＥＣＴＥＤ）の二つの状態を定義できる。二つの状態は、ＵＥ及びＭＭＥに適用できる。ＥＣＭ−ＩＤＬＥのＵＥがＥ−ＵＴＲＡＮとＲＲＣ接続を設定したとき、ＵＥは、ＥＣＭ−ＣＯＮＮＥＣＴＥＤになる。ＥＣＭ−ＩＤＬＥのＭＭＥがＥ−ＵＴＲＡＮとＳ１接続を設定したとき、ＭＭＥは、ＥＣＭ−ＣＯＮＮＥＣＴＥＤになる。ＵＥがＥＣＭ−ＩＤＬＥになったとき、Ｅ−ＵＴＲＡＮは、ＵＥのコンテキストに関する情報を有していない。したがって、ＥＣＭ−ＩＤＬＥのＵＥは、ネットワークの命令を受けることなくセル選択又はセル再選択のようなＵＥベースの移動性関係手続を実行できる。ＥＣＭ−ＩＤＬＥのＵＥの位置と、ネットワークが知っている位置とが異なる場合、ＵＥは、位置登録エリア更新手続を介してネットワークにＵＥの位置を通知できる。それに対し、ＥＣＭ−ＣＯＮＮＥＣＴＥＤのＵＥの移動性は、ネットワークの命令によって管理できる。
【００４１】
図５は、ＲＲＣ接続設定（ＲＲＣ ｃｏｎｎｅｃｔｉｏｎ ｅｓｔａｂｌｉｓｈｍｅｎｔ）手続を示す。詳細は３ＧＰＰ ＴＳ ３６.３３１ Ｖ１０.５.０（２０１２−０３）の５.３.３節を参照されたい。この手続の目的は、ＲＲＣ接続を設定することにある。ＲＲＣ接続設定は、ＳＲＢ１設定を含むことができる。また、ＲＲＣ接続設定手続は、ＵＥからＥ−ＵＴＲＡＮに初期ＮＡＳ専用情報／メッセージを移動させるために使われる。Ｅ−ＵＴＲＡＮは、ＳＲＢ１だけを確立するためにＲＲＣ接続設定手続を適用できる。
【００４２】
図５を参照すると、ステップＳ５０において、ＵＥは、ＲＲＣ接続設要求メッセージ（ＲＲＣＣｏｎｎｅｃｔｉｏｎＲｅｑｕｅｓｔ）をＥ−ＵＴＲＡＮに送信する。ステップＳ５１において、Ｅ−ＵＴＲＡＮは、ＲＲＣ接続設定メッセージ（ＲＲＣＣｏｎｎｅｃｔｉｏｎＳｅｔｕｐ）をＵＥに送信する。ステップＳ５２において、ＵＥは、ＲＲＣ接続設定完了メッセージ（ＲＲＣＣｏｎｎｅｃｔｉｏｎＳｅｔｕｐＣｏｍｐｌｅｔｅ）をＥ−ＵＴＲＡＮに送信する。
【００４３】
図６は、初期セキュリティ活性化（ｉｎｉｔｉａｌ ｓｅｃｕｒｉｔｙ ａｃｔｉｖａｔｉｏｎ）手続を示す。詳細は３ＧＰＰ ＴＳ ３６.３３１ Ｖ１０.５.０（２０１２−０３）の５.３.４節を参照されたい。この手続の目的は、ＲＲＣ接続設定による接続層（ａｃｃｅｓｓ ｓｔｒａｔｕｍ、ＡＳ）のセキュリティを活性化することにある。
【００４４】
図６を参照すると、ステップＳ６０において、Ｅ−ＵＴＲＡＮは、セキュリティモード命令メッセージ（ＳｅｃｕｒｉｔｙＭｏｄｅＣｏｍｍａｎｄ）をＵＥに送信する。ステップＳ６１において、ＵＥは、セキュリティモード完了メッセージ（ＳｅｃｕｒｉｔｙＭｏｄｅＣｏｍｐｌｅｔｅ）をＥ−ＵＴＲＡＮに送信する。
【００４５】
図７は、ＲＲＣ接続再設定（ＲＲＣ ｃｏｎｎｅｃｔｉｏｎ ｒｅｃｏｎｆｉｇｕｒａｔｉｏｎ）手続を示す。詳細は３ＧＰＰ ＴＳ ３６.３３１ Ｖ１０.５.０（２０１２−０３）の５.３.５節を参照されたい。この手続の目的は、ＲＲＣ接続を修正することにある。例えば、ＲＢの設定／修正／解放、ハンドオーバ実行、測定の設定／修正／解放、２次セル（ｓｅｃｏｎｄａｒｙ ｃｅｌｌ、ＳＣｅｌｌ）の追加／修正／解放などのためにＲＲＣ接続を修正できる。ＲＲＣ接続再設定手続の一部として、ＮＡＳ専用情報をＥ−ＵＴＲＡＮからＵＥに送信できる。
【００４６】
図７を参照すると、ステップＳ７０において、Ｅ−ＵＴＲＡＮは、ＲＲＣ接続再設定メッセージ（ＲＲＣＣｏｎｎｅｃｔｉｏｎＲｅｃｏｎｆｉｇｕｒａｔｉｏｎ）をＵＥに送信する。ステップＳ７１において、ＵＥは、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）をＥ−ＵＴＲＡＮに送信する。
【００４７】
以下、Ｄ２Ｄ接続について説明する。
【００４８】
Ｄ２Ｄ接続は、一つの主ＵＥ（ｍａｓｔｅｒ ＵＥ、Ｍ−ＵＥ）と一つの従属ＵＥ（ｓｌａｖｅ ＵＥ、Ｓ−ＵＥ）との間の接続である。すなわち、Ｄ２Ｄ接続は、ＵＥ間の直接接続である。Ｍ−ＵＥは、自律的に（すなわち、ＵＥ自律モード）又はＥ−ＵＴＲＡＮの全体的又は部分的な制御下に（すなわち、Ｅ−ＵＴＲＡＮ計画モード（Ｅ−ＵＴＲＡＮ ｐｌａｎｎｅｄ ｍｏｄｅ））Ｓ−ＵＥとのＤ２Ｄ接続を制御できる。一つのＭ−ＵＥは、０個、１個又はそれ以上のＤ２Ｄ接続を設定できる。別個のＳ−ＵＥには別個のＤ２Ｄ接続が設定できる。
【００４９】
Ｅ−ＵＴＲＡＮは、セルにおいて次の２個のＤ２Ｄモードを設定できる。特定セル、特定Ｍ−ＵＥ、特定Ｓ−ＵＥ又は一つのＭ−ＵＥと一つのＳ−ＵＥとの間の特定Ｄ２Ｄ接続に対し、一つのＤ２Ｄモードだけを設定できる。
【００５０】
１）Ｅ−ＵＴＲＡＮ計画モード：Ｍ−ＵＥにサービスを提供するＥ−ＵＴＲＡＮ（サービス提供ｅＮＢと呼ばれる）がＤ２Ｄ接続を維持する役割をする（無線リソース又はＤ２Ｄ接続に関するＱｏＳの側面で）。サービス提供ｅＮＢは、Ｍ−ＵＥに接続されるＳ−ＵＥに関するＳ−ＵＥコンテキストを有する。サービス提供ｅＮＢに接続されるＭＭＥは、Ｍ−ＵＥに接続されるＳ−ＵＥに関するＳ−ＵＥコンテキストを有する。
【００５１】
２）ＵＥ自律モード：Ｍ−ＵＥがＤ２Ｄ接続を維持する役割をする（無線リソース又はＤ２Ｄ接続に関するＱｏＳの側面で）。サービス提供ｅＮＢは、Ｍ−ＵＥに接続されるＳ−ＵＥに関するＳ−ＵＥコンテキストを有しない。サービス提供ｅＮＢに接続されるＭＭＥは、Ｍ−ＵＥに接続されるＳ−ＵＥに関するＳ−ＵＥコンテキストを有してもよいし、有しなくてもよい。
【００５２】
Ｓ−ＵＥは、二つのモードでサービス提供ｅＮＢ又は他のｅＮＢとＲＲＣ接続を有してもよいし、有しなくてもよい。
【００５３】
また、Ｄ２Ｄハイブリッドモードを定義できる。Ｄ２Ｄハイブリッドモードにおいては、ＵＥ自律モード及びＥ−ＵＴＲＡＮ計画モードが両方とも、一つのＭ−ＵＥと一つのＳ−ＵＥとの間の一つのＤ２Ｄ接続のために使われる。ＵＥ自律モード及びＥ−ＵＴＲＡＮ計画モードのうちいずれのモードがＤ２Ｄ接続のために使われるかは、Ｍ−ＵＥとＳ−ＵＥとの間のＤ２Ｄ無線ベアラのＱｏＳに依存する。例えば、音声又はビデオサービスのためのＤ２Ｄ ＤＲＢは、Ｅ−ＵＴＲＡＮ計画モードに基づいて設定できる。データダウンロード／アップロードサービスのためのＤ２Ｄ ＤＲＢは、ＵＥ自律モードに基づいて設定できる。Ｄ２Ｄ接続上の半永続的スケジュール（ＳＰＳ）送信は、Ｅ−ＵＴＲＡＮ計画モードにおいてサービス提供ｅＮＢによって設定できる。ＵＥ自律モード及びＥ−ＵＴＲＡＮ計画モードのうちいずれのモードがＤ２Ｄ接続のために使われるかは、サービス提供ｅＮＢによって決定できる。Ｍ−ＵＥがＳ−ＵＥとＤ２Ｄ接続を設定したとき、Ｍ−ＵＥは、このＤ２Ｄ接続設定に関する情報をサービス提供ｅＮＢに送信できる。Ｍ−ＵＥからこの情報を受信したサービス提供ｅＮＢは、このＤ２Ｄ接続に対してＵＥ自律モード、Ｅ−ＵＴＲＡＮ計画モード、又はハイブリッドモードのうちいずれのモードが設定されなければならないかをＭ−ＵＥに通知できる。
【００５４】
以下、サービス提供ｅＮＢは、Ｍ−ＵＥをサービス提供するｅＮＢであると仮定する。ｅＮＢがＳ−ＵＥをサービス提供し、かつＭ−ＵＥをサービス提供しない場合、このようなｅＮＢは、以下、明確に“Ｓ−ＵＥサービス提供ｅＮＢ”と呼ばれる。Ｓ−ＵＥをサービス提供するｅＮＢが特定手続を表現するために使われるとき、“Ｍ−ＵＥサービス提供ｅＮＢ”も使うことがある。
【００５５】
次の識別子は、Ｄ２Ｄ接続のために使われる識別子である。
Ｍ−ＣＲＮＴＩ：Ｍ−ＵＥに割り当てられるセルＲＮＴＩ（Ｃ−ＲＮＴＩ）
Ｓ−ＣＲＮＴＩ：Ｓ−ＵＥに割り当てられるＣ−ＲＮＴＩ
Ｓ−ＵＥ識別子：Ｓ−ＵＥ識別子は、ＩＭＳＩ、Ｓ−ＴＭＳＩ、Ｓ−ＣＲＮＴＩ又はＳ−ＵＥに割り当てられた新しいＵＥ識別子のうちいずれか一つに対応できる。Ｓ−ＵＥ識別子は、Ｍ−ＵＥ、Ｍ−ＵＥサービス提供ｅＮＢ、Ｓ−ＵＥサービス提供ｅＮＢ、又はＭＭＥ／帰属位置レジスタ（ＨＬＲ）のようなＥＰＣノードによって割り当てることができる。
【００５６】
次のチャネルは、Ｄ２Ｄ接続のために使われるチャネルである。
Ｄ２Ｄダウンリンク：Ｍ−ＵＥからＳ−ＵＥへの方向
Ｄ２Ｄアップリンク：Ｓ−ＵＥからＭ−ＵＥへの方向
Ｄ−ＢＣＣＨ：Ｄ２Ｄ接続に使われるＤ２Ｄダウンリンク同報制御チャネル。Ｍ−ＵＥは、例えば、Ｄ２Ｄシステム情報を転送するために、又はＳ−ＵＥがＤ２Ｄ接続のために他のＵＥを探すことを助けるために、Ｄ−ＢＣＣＨを一つ以上のＳ−ＵＥに同報する。
Ｄ−ＲＡＣＨ：Ｄ２Ｄ接続に使われるＤ２Ｄアップリンクランダム接続チャネル。Ｍ−ＵＥは、Ｄ−ＲＡＣＨのための無線リソースを割り当てることができる。Ｓ−ＵＥは、Ｄ−ＢＣＣＨ上で情報を受信してＤ−ＲＡＣＨの構成を知ることができる。Ｓ−ＵＥは、Ｍ−ＵＥと接続され、又はＭ−ＵＥにデータを送信するために、Ｄ−ＲＡＣＨ上でＭ−ＵＥにプリアンブル又はメッセージを送信できる。
Ｄ−ＣＣＣＨ：Ｄ２Ｄ接続に使われるＤ２Ｄアップリンク／ダウンリンク共通制御チャネル。
Ｄ−ＤＣＣＨ：Ｄ２Ｄ接続に使われるＤ２Ｄアップリンク／ダウンリンク専用制御チャネル。
Ｄ２Ｄ ＲＢ：Ｍ−ＵＥとＳ−ＵＥとの間のＤ２Ｄ接続に設定された無線ベアラ。ＤＲＢ及びＳＲＢはそれぞれ、Ｄ２Ｄユーザデータ及びＤ２Ｄ制御情報のために提供される。
【００５７】
図８は、本発明の一実施例によるＤ２Ｄ関連情報を送信する方法の一例を示す。
【００５８】
ステップＳ１００において、第１の移動装置は、ネットワークノードとの接続に関する情報を第２の移動装置に送信する。
【００５９】
第１の移動装置とネットワークノードとの間の接続に関する情報は、ネットワークノードの識別子である。ネットワークノードの識別子は、ネットワークノードによって制御されるセルのセル識別子である。このとき、第１の移動装置及びネットワークノードは、第１の接続によって接続される。第１の接続はＲＲＣ接続である。第１の移動装置及び第２の移動装置は、第２の接続によって接続される。第２の接続はＤ２Ｄ接続である。
【００６０】
又は、第１の移動装置とネットワークノードとの間の接続に関する情報は、第１の移動装置とネットワークノードとの間の第１の接続が設定されるか否かを指示する指示子である。
【００６１】
図８において、第１の移動装置はＭ−ＵＥであり、第２の移動装置はＳ−ＵＥである。又は、第１の移動装置はＳ−ＵＥであり、第２の移動装置はＭ−ＵＥである。
【００６２】
図９は、本発明の一実施例によるＤ２Ｄ関連情報を送信する方法の他の例を示す。
【００６３】
ステップＳ２００において、基地局は、基地局に接続された移動装置間のＤ２Ｄ接続に関する情報を隣接ネットワークノードに送信する。Ｄ２Ｄ接続に関する情報は、移動装置に関する情報、例えば、ＵＥ識別子の目録、Ｄ２Ｄモード及びＤ２Ｄ接続に関連しているパラメータ／構成などを含むことができる。
【００６４】
前述したように、ｅＮＢは、Ｄ２Ｄ接続に関する情報を交換することができる。また、ｅＮＢは、交換された情報を基地局に接続された移動装置と共有することができる。移動装置は、Ｄ２Ｄ接続設定のために隣接移動装置の検出にこの情報を利用することができる。
【００６５】
図１０は、本発明の一実施例によるＥ−ＵＴＲＡＮ計画モードにおけるＤ２Ｄ接続設定の一例を示す。
【００６６】
１．Ｓ−ＵＥは、Ｓ−ＵＥサービス提供ｅＮＢに接続され、Ｍ−ＵＥは、Ｍ−ＵＥサービス提供ｅＮＢに接続されると仮定する。したがって、Ｓ−ＵＥとＭ−ＵＥは、ＲＲＣ_ＣＯＮＮＥＣＴＥＤにある。Ｍ−ＵＥサービス提供ｅＮＢは、Ｍ−ＵＥコンテキストを有する。Ｓ−ＵＥサービス提供ｅＮＢは、Ｓ−ＵＥコンテキストを有する。Ｍ−ＵＥサービス提供ｅＮＢは、Ｄ−ＢＣＣＨリソースのセット及びＤ２Ｄ ＲＡＰＩＤのセットを含むＤ２Ｄランダムアクセスリソースのセットを含むＤ２Ｄ制御情報を同報することができる。
【００６７】
２ａ．ｅＮＢは、Ｄ２Ｄ接続に関する情報を交換することができる。例えば、Ｍ−ＵＥサービス提供ｅＮＢは、Ｍ−ＵＥサービス提供ｅＮＢに接続されたＵＥに関する情報（例えば、ＵＥ識別子の目録）及びＤ２ＤモードのようなＤ２Ｄ接続についてＳ−ＵＥサービス提供ｅＮＢに知らせることができる。同様に、Ｓ−ＵＥサービス提供ｅＮＢは、Ｓ−ＵＥサービス提供ｅＮＢに接続されたＵＥに関する情報（例えば、ＵＥ識別子の目録）及びＤ２ＤモードのようなＤ２Ｄ接続についてＭ−ＵＥサービス提供ｅＮＢに知らせることができる。
【００６８】
２ｂ．ｅＮＢは、交換された情報をｅＮＢに接続されたＵＥと共有することができる。ＵＥは、この情報をＤ２Ｄ接続設定のために隣接ＵＥの検出に使用することができる。
【００６９】
図９に示す本発明の一実施例がステップ２ａ及び２ｂに適用される。
【００７０】
３．サービス提供ｅＮＢは、ＢＣＣＨ又はＤＣＣＨ上のＲＲＣメッセージを介してＤ２Ｄ接続のための一つ以上のＵＥを設定することができる。Ｄ２Ｄ接続を設定するとき、サービス提供ｅＮＢは、ＵＥがＵＥ自律モード又はＥ−ＵＴＲＡＮ計画モードのうちいずれのＤ２Ｄモードに動作すべきであるかを指示することができる。ここで、Ｅ−ＵＴＲＡＮ計画モードが設定されると仮定する。
【００７１】
また、ＲＲＣメッセージは、Ｄ２Ｄ共通設定及びＤ２Ｄ ＤＲＸ設定を含むことができる。Ｄ２Ｄ共通設定は、Ｄ−ＲＡＣＨ、Ｄ−ＢＣＣＨ、Ｄ−ＣＣＣＨのようなＤ２Ｄ接続に使われる共通チャネルの設定を含むことができる。Ｄ２Ｄ ＤＲＸ設定は、一つ以上のＤ２Ｄ接続のために使われることができる可能なＤＲＸ設定を含むことができる。
【００７２】
４．Ｍ−ＵＥは、Ｄ２Ｄ制御情報に基づいてＤ２Ｄ共通設定に含まれているＤ−ＢＣＣＨ設定を利用してＤ−ＢＣＣＨ上に制御信号を同報する。Ｄ２Ｄ共通設定の一部はＳ−ＵＥまでＤ−ＢＣＣＨ上で同報することができる。
【００７３】
Ｓ−ＵＥは、サービス提供ｅＮＢ又は他のｅＮＢからＤ２Ｄ制御情報を受信することができる。Ｄ２Ｄ制御情報を利用することによって、Ｓ−ＵＥはＤ−ＢＣＣＨを介してＭ−ＵＥを検出することができる。Ｓ−ＵＥは、Ｄ−ＲＡＣＨ及びＤ−ＣＣＣＨの設定のようなＤ２Ｄ共通設定の一部をＤ−ＢＣＣＨから得ることができる。
【００７４】
５ａ．Ｓ−ＵＥがＭ−ＵＥを検出したとき、Ｓ−ＵＥのＲＲＣ層は、検出事実をＳ−ＵＥの上位階層に通知する。Ｓ−ＵＥのＮＡＳは、Ｓ−ＵＥのＲＲＣ層にＤ２Ｄ接続を設定することを要求できる。Ｓ−ＵＥは、Ｄ２Ｄ接続要求メッセージをＭ−ＵＥに送信する。そして、Ｓ−ＵＥは、Ｄ２Ｄ接続設定メッセージをＭ−ＵＥから受信する。Ｄ２Ｄ接続設定メッセージは、Ｓ−ＣＲＮＴＩ及びＭ−ＵＥサービス提供セルＩＤを含むことができる。
【００７５】
５ｂ．Ｅ−ＵＴＲＡＮ計画モードにおいて、Ｍ−ＵＥは、Ｓ−ＵＥ識別子を含む受信されたＤ２Ｄ接続要求メッセージをサービス提供ｅＮＢに伝達することができる。そして、サービス提供ｅＮＢがＤ２Ｄ接続設定メッセージをＭ−ＵＥに送信すると、Ｍ−ＵＥは、受信されたＤ２Ｄ接続設定メッセージをＳ−ＵＥに送信する。サービス提供ｅＮＢは、Ｄ２Ｄ接続設定メッセージを介してＳ−ＵＥのためのＳ−ＣＲＮＴＩを割り当てることができる。Ｍ−ＵＥは、Ｓ−ＵＥを識別するために、このＳ−ＣＲＮＴＩを以後のメッセージで使用する。
【００７６】
５ｃ．Ｍ−ＵＥからＤ２Ｄ接続設定メッセージを受信した後、Ｓ−ＵＥは、Ｄ２Ｄ接続設定を完了するために、Ｄ２Ｄ接続設定完了メッセージをＭ−ＵＥに送信する。Ｄ２Ｄ接続設定完了メッセージは、Ｓ−ＵＥサービス提供セルＩＤを含むことができる。Ｍ−ＵＥは、受信されたＤ２Ｄ接続設定完了メッセージをＭ−ＵＥサービス提供ｅＮＢに転送する。
【００７７】
図８に示す本発明の一実施例が前記ステップ５ａ及び５ｃに適用される。
【００７８】
６ａ．Ｓ−ＵＥサービス提供セルＩＤがＳ−ＵＥからＭ−ＵＥを経由して受信される場合、Ｍ−ＵＥサービス提供ｅＮＢは、Ｓ−ＵＥサービス提供セルＩＤを利用することによって、Ｓ−ＵＥのためのＳ−ＵＥサービス提供ｅＮＢを探し、Ｄ２Ｄ ＵＥコンテキスト要求メッセージをＳ−ＵＥサービス提供ｅＮＢに送信する。Ｄ２Ｄ ＵＥコンテキスト要求メッセージは、Ｓ−ＵＥ識別子及びＳ−ＵＥサービス提供セルＩＤを含むことができる。Ｓ−ＵＥサービス提供セルＩＤ及びＮＡＳ Ｓ−ＵＥ初期メッセージがＳ−ＵＥから受信されない場合、Ｍ−ＵＥは、ＵＥ自律モードを設定し、これをＭ−ＵＥ/Ｓ−ＵＥサービス提供ｅＮＢに知らせることができる。
【００７９】
６ｂ．Ｄ２Ｄ ＵＥコンテキスト要求メッセージがＭ−ＵＥサービス提供ｅＮＢから受信されたとき、Ｓ−ＵＥサービス提供ｅＮＢは、Ｓ−ＵＥ識別子及びＳ−ＵＥコンテキストを含むＤ２Ｄ ＵＥコンテキスト応答メッセージをＭ−ＵＥサービス提供ｅＮＢに送信する。Ｍ−ＵＥサービス提供ｅＮＢは、受信されたＳ−ＵＥコンテキストをＭ−ＵＥに送信できる。登録されたＵＥのためにＭＭＥに記憶される一般ＵＥコンテキストのように、Ｓ−ＵＥコンテキストは、ＱｏＳ情報、セキュリティ情報、Ｓ−ＵＥ能力情報などを含むことができる。Ｍ−ＵＥは、Ｓ−ＵＥコンテキストをＭ−ＵＥサービス提供ｅＮＢを経由してＭＭＥから受信できる。
【００８０】
７．サービス提供ｅＮＢは、このＤ２Ｄ接続のためにセキュリティモード命令手続及びＤＲＢ設定手続を初期化する。ＳＭＣメッセージ及びＤ２Ｄ接続再設定メッセージがサービス提供ｅＮＢからＭ−ＵＥを経由してＳ−ＵＥに送信される。サービス提供ｅＮＢは、ＳＭＣメッセージ及びＤ２Ｄ接続再設定メッセージを受信すべきＳ−ＵＥを識別するために、Ｓ−ＣＲＮＴＩを利用する。この手続の結果として、Ｓ−ＵＥ及びＭ−ＵＥは、安全なＤ２Ｄ接続のＤＲＢ上でＤ２Ｄ送信をするように準備する。
【００８１】
図１１は、本発明の実施例が具現される無線通信システムのブロック図である。
【００８２】
ｅＮＢ８００は、プロセッサ８１０、メモリ８２０及び無線周波（ＲＦ）部８３０を含むことができる。プロセッサ８１０は、本明細書で説明された機能、手続及び／又は方法を具現するように構成できる。無線インタフェースプロトコルの階層は、プロセッサ８１０によって具現できる。メモリ８２０は、プロセッサ８１０と接続され、プロセッサ８１０を駆動するための多様な情報を記憶する。ＲＦ部８３０は、プロセッサ８１０と接続され、無線信号を送信及び／又は受信する。
【００８３】
ＵＥ９００は、プロセッサ９１０、メモリ９２０及びＲＦ部９３０を含むことができる。プロセッサ９１０は、本明細書で説明された機能、手続及び／又は方法を具現するように構成できる。無線インタフェースプロトコルの階層は、プロセッサ９１０によって具現できる。メモリ９２０は、プロセッサ９１０と接続され、プロセッサ９１０を駆動するための多様な情報を記憶する。ＲＦ部９３０は、プロセッサ９１０と接続され、無線信号を送信及び／又は受信する。
【００８４】
プロセッサ８１０、９１０は、特定用途集積回路（ＡＳＩＣ）、他のチップセット、論理回路及び／又はデータ処理装置を含むことができる。メモリ８２０、９２０は、ＲＯＭ、ＲＡＭ、フラッシュメモリ、メモリカード、記憶媒体及び／又は他の記憶装置を含むことができる。ＲＦ部８３０、９３０は、ＲＦ信号を処理するためのベースバンド回路を含むことができる。実施例がソフトウェアで具現されるとき、前述した技法は前述した機能を遂行するモジュール（手続、機能など）で具現できる。モジュールは、メモリ８２０、９２０に記憶され、プロセッサ８１０、９１０によって実行できる。メモリ８２０、９２０は、プロセッサ８１０、９１０の内部又は外部にあり、よく知られた多様な手段でプロセッサ８１０、９１０と接続できる。
【００８５】
前述した例示的なシステムにおいて、前述された本発明の特徴によって具現できる方法を流れ図に基づいて説明した。便宜上、方法は、一連のステップ又はブロックで説明されたが、請求された本発明の特徴はステップ又はブロックの順序に限定されるものではなく、あるステップは異なるステップ及び前述と異なる順序で、又は同時に発生できる。また、当業者であれば、流れ図に示すステップが排他的でなく、他のステップが含まれ、又は流れ図の一つ又はそれ以上のステップが本発明の範囲に影響を及ぼさずに削除可能であることを理解できるであろう。
【図１】
2018038072.tif 000003
【図２】
2018038072.tif 000004
【図３】
2018038072.tif 000005
【図４】
2018038072.tif 000006
【図５】
2018038072.tif 000007
【図６】
2018038072.tif 000008
【図７】
2018038072.tif 000009
【図８】
2018038072.tif 000010
【図９】
2018038072.tif 000011
【図１０】
2018038072.tif 000012
【図１１】
2018038072.tif 000013
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
無線通信システムにおいて進化ノードＢ（ｅＮＢ)がＤ２Ｄ（ｄｅｖｉｃｅ−ｔｏ−ｄｅｖｉｃｅ）モードを設定する方法であって、
Ｄ２Ｄ通信のために端末（ＵＥ）がいずれのＤ２Ｄモードで動作すべきかを示す前記Ｄ２Ｄモードを設定するステップと、
前記設定されたＤ２Ｄモードに関する情報を前記ＵＥへ送信するステップと、を有し、
前記Ｄ２Ｄモードは、進化はん用地上無線接続網（Ｅ−ＵＴＲＡＮ）計画モード又はＵＥ自律モードの１つであり、
前記Ｅ−ＵＴＲＡＮ計画モードは、前記ｅＮＢが前記Ｄ２Ｄ通信のための無線リソースを制御するＤ２Ｄモードであり、
前記ＵＥ自律モードは、前記ＵＥが前記Ｄ２Ｄ通信のための無線リソースを制御するＤ２Ｄモードである、方法。
【請求項２】
前記設定されたＤ２Ｄモードに関する前記情報は、専用制御チャネル（ＤＣＣＨ）上の無線リソース制御（ＲＲＣ）メッセージを介して送信される、請求項１に記載の方法。
【請求項３】
前記ＵＥから前記Ｄ２Ｄ通信のためのバッファ状態報告（ＢＳＲ）を受信するステップをさらに有する、請求項１又は２に記載の方法。
【請求項４】
前記Ｅ−ＵＴＲＡＮ計画モードにおいて、前記Ｄ２Ｄ通信のための前記受信したＢＳＲに基づいて前記Ｄ２Ｄ通信のための無線リソースをスケジュールするステップをさらに有する、請求項３に記載の方法。
【請求項５】
前記ＵＥは、前記設定されたＤ２Ｄモードを使用して他のＵＥと前記Ｄ２Ｄ通信を実行する、請求項１〜４のいずれか一項に記載の方法。
【請求項６】
無線通信システムにおける進化ノードＢ（ｅＮＢ）であって、
メモリと、
無線周波（ＲＦ）部と、
前記メモリ及び前記ＲＦ部と接続されるプロセッサであって、
Ｄ２Ｄ通信のために端末（ＵＥ）がいずれのＤ２Ｄモードで動作すべきかを示す前記Ｄ２Ｄモードを設定し、
前記設定されたＤ２Ｄモードに関する情報を前記ＵＥへ送信するよう前記ＲＦ部を制御する、プロセッサと、を備え、
前記Ｄ２Ｄモードは、進化はん用地上無線接続網（Ｅ−ＵＴＲＡＮ）計画モード又はＵＥ自律モードの１つであり、
前記Ｅ−ＵＴＲＡＮ計画モードは、前記ｅＮＢが前記Ｄ２Ｄ通信のための無線リソースを制御するＤ２Ｄモードであり、
前記ＵＥ自律モードは、前記ＵＥが前記Ｄ２Ｄ通信のための無線リソースを制御するＤ２Ｄモードである、ｅＮＢ。
【請求項７】
前記設定されたＤ２Ｄモードに関する情報は、専用制御チャネル（ＤＣＣＨ）上の無線リソース制御（ＲＲＣ）メッセージを介して送信される、請求項６に記載のｅＮＢ。
【請求項８】
前記プロセッサは、前記ＵＥから前記Ｄ２Ｄ通信のためのバッファ状態報告（ＢＳＲ）を受信するよう前記ＲＦ部をさらに制御する、請求項６又は７に記載のｅＮＢ。
【請求項９】
前記プロセッサは、前記Ｅ−ＵＴＲＡＮ計画モードにおいて、前記Ｄ２Ｄ通信のための前記受信したＢＳＲに基づいて前記Ｄ２Ｄ通信のための無線リソースをさらにスケジュールする、請求項８に記載のｅＮＢ。
【請求項１０】
前記ＵＥは、前記設定されたＤ２Ｄモードを使用して他のＵＥと前記Ｄ２Ｄ通信を実行する、請求項６〜９のいずれか一項に記載のｅＮＢ。